(57)【要約】【課題】  チューブ容器において手で最後まで押し出したつもりでもノズル部の分と手で押し出し切れない分が残る。それを取出し、使えるようにするのが容易ではなかった点。【解決手段】  本発明は、家庭用洗濯機の脱水機内面に、通常の方法で使いきったチューブ容器を噴出し方向が外へ向かうよう脱水機内面に垂直にセット出来るようにして、その噴出し方向に受け皿を設け、脱水機の遠心力によりチューブ容器内の最後の残りを取り出す方法と、それを保管するための方法及びその構造である。【選択図】図１
2011011822.tif 000002
【特許請求の範囲】
【請求項１】
家庭用洗濯機の脱水機内面に、通常の方法で出しきったチューブをセットして、脱水機の遠心力によりチューブ内の最後の残りを受け皿に取り出す方法を特徴とするチューブラストゲッター。
【請求項２】
家庭用洗濯機の脱水機内面に、通常の方法で出しきったチューブをセットして、脱水機の遠心力によりチューブ内の最後の残りを受け皿に取り出し、保管する方法及び構造を特徴とするチューブラストゲッター。
【請求項３】
上部を閉蓋に交換することによりそのまま使用可能な状態で保管出来る脱水機への取付け用磁石の付いた半球状の受け皿の構造を特徴とするチューブラストゲッター。
【請求項４】
請求項３の受け皿上部に多種のチューブ容器を固定出来る様にするため、チューブ容器ノズル口部を穴で固定し倒れ止め及び抜け止めとしてチューブ容器胴体部をガイド棒に輪ゴム、ゴムバンド等で留める方法及び構造（図２）を特徴とするチューブラストゲッター。
【請求項５】
各チューブ容器ノズル口に合わせた構造で専用のチューブ容器固定用取付口（図７のｂ１）を作ることにより受け皿上部にチューブを固定する構造（図７）を特徴とするチューブラストゲッター。
【請求項６】
各チューブ容器ノズル口に合わせた構造でチューブ容器固定用取付口を作ることにより受け皿上部にチューブを固定する構造で普通に内容物を押し出しきるまでは蓋として利用し最後に剥ぎ取り式のシール蓋（図７のｂ２）を剥ぎ取ることにより受け皿とチューブ容器が連結され内容物を取得できる構造（図７）を特徴とするチューブラストゲッター。
【請求項７】
サランラップ等シートをノズル口より被せ細長い袋状（図４のａ８）にして、袋が受け皿で膨らむように余裕を持ってセットすることにより、直接受け皿を汚さずシート上に対象チューブ内の最後の残りを取得する方法（図４）を特徴とするチューブラストゲッター。
【請求項８】
チャック付き専用ミニポリ袋（チューブ固定部の穴に適合させるため、袋の中間部を細くしたもの）（図６）をチューブノズル口より被せチューブ固定部の穴を通し、袋の下部が受け皿で膨らむようにセットし（図５のａ９）、袋内に対象チューブ内の最後の残りを取得する方法（図５）を特徴とするチューブラストゲッター。
【請求項９】
請求項８のチャック付き専用ミニポリ袋（チューブ固定部の穴に適合させるため、袋の中間部を細くしたもの）の構造（図６）。
【請求項１０】
受け皿上に調度収まる透明ＰＥＴ等の使い捨て受け皿（図２又は図７のａ２）を別途用意し、その使い捨て受け皿上に対象チューブ内の最後の残りを取得する方法を特徴とするチューブラストゲッター。
【請求項１１】
請求項１０の透明ＰＥＴ等で出来た使い捨て受け皿の構造（図２又は図７のａ２）。
【請求項１２】
請求項１〜請求項１１にある脱水機への取付け用磁石の付いた受け皿において取付け用磁石部と受け皿部をねじ等で分離可能とし、保管時に関係ない部分（磁石等）の付いていない状態の受け皿で内容物の保管が出来るようにした構造を特徴とするチューブラストゲッター（図８、図９、図１０）。
【請求項１３】
回転部壁面が磁性体でない脱水機の場合、取付け用磁石部に対応して脱水機回転部壁面に市販の磁石受板等（丸型と四角型がある。防錆性に疑問がある場合は樹脂塗装等する。）を適切な方法（防錆性及び耐水性のある木ねじ、強力両面テープ又は接着剤等）で取付ける（バランスが気になる場合は反対側にも取り付ける。）ことにより、回転部壁面が磁性体である脱水機と同様に取付けが出来ることを特徴とするチューブラストゲッター。
【発明の詳細な説明】
【技術分野】
【０００１】
チューブ容器入り歯磨き他チューブ容器入り化粧品、医薬品、エポキシ接着剤などで通常の手で押し出す方法で出しきった後の残りを取り出すための方法と道具に関するものである。
【背景技術】
【０００２】
チューブ容器入りの日常生活用品は歯磨きをはじめ、化粧品、医薬品他多種多様な製品が利用されている。しかし手で最後まで押し出したつもりでも必ずノズル部の分と手で押し切れない分が残ってしまいその分がゴミとして捨てられていた。取り出す方法としては、キャップをしたままチューブ容器の尻の部分を手でつまんで振り回し、ノズル側に流動体を押しやり、その後蓋を開けて押し出す方法があった。しかし高齢者など力の弱い人では十分出し切れなかった。力のある人でも１度でノズル部の残留物を取り出すことは構造的に無理であった。また、小さい金属チューブや粘性の高いものでは非常に困難であった。他には耳掻きで取り出す方法もあるがこれはノズル部しか対応出来ず、ノズル近くのチューブの広がった角部などは届かなかった。又、その保管について考慮された方法はなかった。
【先行技術文献】
【特許文献】
【０００３】
【特許文献１】特開平０７−３２８４８７号公報
【特許文献２】特開平０３−１０１８５６号公報
【特許文献３】特開昭５６−１５０４４５号公報
【特許文献４】特開２００５−１６１１６２号公報
【特許文献５】特開平１０−１９４３６１号公報
【非特許文献】
【０００４】
【非特許文献１】実開平０７−０３１１５１号公報
【発明の概要】
【発明が解決しようとする課題】
【０００５】
解決しようとする問題点は、チューブ容器において手で最後まで押し出したつもりでも必ずノズル部の分と手で押し切れない分が残ってしまいそれを取出し、容易に使えるようにする方法がなかった点にある。
【課題を解決するための手段】
【０００６】
本発明は、家庭用洗濯機の脱水機内面に、通常の方法で使いきったチューブ容器を噴出し方向が外へ向かうよう脱水機内面に垂直にセット出来るようにして、その噴出し方向に受け皿を設け、脱水機の遠心力によりチューブ容器内の最後の残りを取り出す方法と、それを保管するための方法及びその構造である。構造は、本体を脱水機内面に取り付けるための磁石の付いた半球状の受け皿（上部と連結可能な構造）ａ１、と受け皿上部にチューブ容器を固定するための部品（図２のａ３、ａ４又は図７のｂ１）から成る。図２のａ３、ａ４は汎用的な場合でセット可能な範囲で大小さまざまなタイプのチューブ容器に対応する。固定方法はノズル口部を穴で固定し倒れ止め及び抜け止めとして胴体部をガイド棒にゴムバンド、輪ゴム等で留める。図７のｂ１はそれぞれのチューブ容器専用にチューブノズル口に合わせた構造のチューブ固定用取付口を付加した小型な構造のもので、対象としたチューブにのみ対応する。又、取り出し後に利用しやすい形での保管用に閉蓋（図３のａ７）がある。
さらに、直接受け皿を汚さない方法として次の３つの方法を考案した。１．サランラップ等シートをチューブノズル口より被せ細長い袋状にして、袋が受け皿で膨らむように余裕を持ってセットしサランラップ等のシート上に取得する方法（図４）。２．チャック付き専用ミニポリ袋（図６）（チューブ固定部の穴に適合させるため、袋の中間部を細くしたもの）をチューブノズル口より被せチューブ固定部の穴を通し、袋の下部が受け皿で膨らむようにセットし袋内に取得する方法（図５）。３．受け皿上に調度収まる透明ＰＥＴ等の専用使い捨て受け皿（図２又は図７のａ２）を別途用意し、その使い捨て受け皿上に取得する方法（図２、図７）。２、３のチャック付き専用ミニポリ袋（図６）、専用使い捨て受け皿（図２、図７のａ２）の構造も本発明である。
尚、取得内容物保管時に磁石等の関係ない部分が悪影響を与えないように、又、別のチューブ内容物取得時に交換部となる受け皿部の構造をより簡単にするために受け皿の保管時に関係ない部分（磁石部等）をねじ等で分離出来る様にした構造も本発明である。（図８、図９、図１０）
次に回転部壁面が磁性体でない脱水機の場合の対応として、取付け用磁石部に対応して脱水機回転部壁面に市販の磁石受板等（丸型と四角型がある。防錆性に疑問がある場合は樹脂塗装等する。）を適切な方法（防錆性及び耐水性のある木ねじ、強力両面テープ又は接着剤等）で取付ける（バランスが気になる場合は反対側にも取り付ける。）ことにより、回転部壁面が磁性体である脱水機と同様に取付けが出来る方法も本発明である。
【発明の効果】
【０００７】
チューブ容器において最後の押し出し方により残る量には幅があるが、どのケースでも使用可能な量の残りが存在し、それをわずかなエネルギーで取得でき、ゴミの減量化と資源の有効利用となる。
以下に実際のケースを示す。
条件：洗濯機の脱水機  ５〜８分作動
使用エネルギー  ３００ｗ／ｈ×８／６０＝４０ｗｈ  
１回の費用    ２０円／ｋｗｈとして４０ｗｋ×２０円／１０００＝０．８円
（まとめて本器具を幾つかセットした場合はその分安くなる。）
１．歯磨きチューブ１３０ｇ入りの場合    ６〜１５ｇ取得
２．エポキシ接着剤チューブ（２液）４０ｇ×２本＝８０ｇ入りの場合５ｇ
程度取得
【図面の簡単な説明】
【０００８】
【図１】本発明のチューブ内容物取り出し時の本体を脱水機内面に装着した状況を示す切断全体斜視図である。
【図２】本発明のチューブ内容物取り出し時の本体分解斜視図（汎用型）である。
【図３】本発明の保管時組み合わせ形態を示す本体斜視図である。
【図４】本発明のサランラップ等のシート上に内容物を取り出す場合の断面図である。
【図５】本発明のチャック付き専用ミニポリ袋内に内容物を取り出す場合の断面図である。
【図６】本発明のチャック付き専用ミニポリ袋の正面図である。
【図７】本発明のチューブ内容物取り出し時の本体分解斜視図（専用型）である。
【図８】本発明のチューブ内容物取り出し時の本体分解斜視図（汎用型、磁石部分離可能型）である。これは図２の受け皿の磁石部を分離可能にし、皿部内面を円柱状に近くした別の実施例である。
【図９】本発明の保管時組み合わせ形態を示す本体斜視図である。これは図８に対応した取得内容物保管時の受け皿と蓋の組み合わせを示す図である。
【図１０】本発明のチューブ内容物取り出し時の本体分解斜視図（専用型、磁石部分離可能型）である。これは図８のチューブ固定部（図８のｄ３）を図７のｂ１と同等な専用チューブ固定部にし、全体をコンパクトにした別の実施例である。
【発明を実施するための形態】
【０００９】
次に、本発明を実施例に基づいて説明するが、本発明がこれによって限定されるものではなく、チューブラストゲッターを複数用意して同時にセットし内容物を取得することや受け皿と閉蓋のセットを複数用意して対象チューブ入り製品別に保管することも想定している。取付用磁石はネオジウム磁石等強力なもの、受け皿部に付いてはステンレス等洗浄に強く傷つきにくいものを想定しているが限定されるものではない。又、受け皿部については皿内面が半球状に必ずしも限定されるものではなく、取り出しやすさより容量を優先させた場合（図８、図９、図１０）は円柱状に近くなる。
【実施例１】
【００１０】
対象とするチューブ容器本体が多種の場合の本発明によるチューブラストゲッターの実施の形態を図１〜図６に基づいて説明する。
通常の方法で出し切ったチューブ容器を図２の様な組み合わせで結合して１体化させ、それを図１の様に脱水機にセットしスイッチを入れ数分間回転させる。するとａ２の使い捨て受け皿（付けた場合）又は直接ａ１の受け皿に内容物が取得できる。保管は図３の様に閉蓋ａ７をすることにより出来る。又、チューブ容器セット時に図４、図５の様にチューブ容器ノズル口にサランラップ等のシート（図４のａ８）又はチャック付き専用ミニポリ袋（図５、図６のａ９）をかぶせることによりシートの上又はチャック付き専用ミニポリ袋の中に内容物が取得できる。図２のａ３とａ４は１体化して１つの部品にすれはより簡単な構造になるが、取得物の流れ止めと洗浄のしやすさを考慮したため分割してある。
【実施例２】
【００１１】
対象とするチューブ容器本体が１種に限定される場合の本発明によるチューブラストゲッターの実施の形態を図１、図３、図７に基づいて説明する。
通常の方法で出し切ったチューブ容器を図７のｂ２を除いた他の組み合わせで結合して１体化させ、実施例１と同様にａ２の使い捨て受け皿（付けた場合）又は直接ａ１の受け皿に内容物が取得できる。保管も図３の様に同様である。剥ぎ取り式のシール蓋ｂ２は通常の方法でチューブ容器から内容物を出し切るまでｂ１の穴をふさいでおくものでチューブラストゲッターを通常の蓋の代わりにしておくようにするものである。
【実施例３】
【００１２】
対象とするチューブ容器本体が多種の場合で受け皿磁石部分離可能型の場合の本発明によるチューブラストゲッターの実施の形態を図１、図８、図９に基づいて説明する。
通常の方法で出し切ったチューブ容器を図８の様な組み合わせで結合して１体化させ、それを図１の様に脱水機にセットしスイッチを入れ数分間回転させる。するとｄ２の受け皿に内容物が取得できる。保管は図９の様に磁石部（図８のｄ１）を取り外した受け皿ｄ２に閉蓋ｄ４をすることにより出来る。
【実施例４】
【００１３】
対象とするチューブ容器本体が１種に限定される場合で受け皿磁石部分離可能型の場合の本発明によるチューブラストゲッターの実施の形態を図１、図１０に基づいて説明する。
通常の方法で出し切ったチューブ容器を図１０の様な組み合わせで結合して１体化させ、それを図１の様に脱水機にセットしスイッチを入れ数分間回転させる。するとｅ２の受け皿に内容物が取得できる。保管は実施例３と同様に行なうことにより出来る。
【産業上の利用可能性】
【００１４】
本発明はチューブ容器を使うすべての産業で通常の方法で出しきった後に残るチューブ容器内の最後の残りを取得するために利用される。
【符号の説明】
【００１５】
ｘ１    取付け側となる家庭用洗濯脱水機
ｘ２    チューブラストゲッター本体
ａ１    受け皿（本体取付け用磁石ｃ１付き）
ａ２    使い捨て受け皿（必要に応じ使用）
ａ３    チューブ容器固定用連結部品
ａ４    チューブ容器固定用部品
ａ５    チューブ容器
ａ６    チューブ容器固定用ゴムバンド
ａ７    保管時用閉蓋
ｂ１    チューブ容器固定用取付口
ｂ２    剥ぎ取り式シール蓋（必要に応じ使用）
ｃ１    本体取付け用磁石
ｄ１    本体取付け用磁石（受け皿取付用ねじ付き）
ｄ２    受け皿（磁石部なし）
ｄ３    チューブ容器固定用部品
ｄ４    保管時用閉蓋（磁石部分離可能型受け皿用）
ｅ１    本体取付け用磁石（受け皿取付用ねじ付き）
ｅ２    受け皿（磁石部なし）
ｅ３    チューブ容器固定用部品
【図１】
2011011822.tif 000003
【図２】
2011011822.tif 000004
【図３】
2011011822.tif 000005
【図４】
2011011822.tif 000006
【図５】
2011011822.tif 000007
【図６】
2011011822.tif 000008
【図７】
2011011822.tif 000009
【図８】
2011011822.tif 000010
【図９】
2011011822.tif 000011
【図１０】
2011011822.tif 000012